(57)【特許請求の範囲】
【請求項１】
下水管路の底部に設置して下水管路の流水を検出する装置であって、温度検出部、水圧検出部、制御部、温度及び水圧の検出値を同時に所定の時間間隔で複数記憶する記憶部、送受信部および水密性の検出ボックスを備え、
前記検出ボックスの内部に前記温度検出部、前記水圧検出部、前記制御部、送受信部および記憶部が設けられ、
前記検出ボックスは、それを下水管路に設置した状態における底面、上面および側面を有し、流水が分流する左右の両側面は円弧状に形成され、
前記検出ボックスを下水管路の底部に設置した際、流水の下流側に位置する前記検出ボックスの側面に前記水圧検出部の検出面が設けられ、その検出面で該検出ボックス下流側の水圧変化を検出することにより、下水管路における流水の水位変化に換算できるようになっており、検出ボックス設置位置における流水の温度と水圧を所定の時間間隔で同時に検出して検出データを記憶部に記憶できるように構成されていることを特徴とする下水管路に発生する異常水検出に用いられる下水管路の流水検出装置。
【請求項２】
請求項１に記載の流水検出装置を用い、下水管路を流れる流水の温度と水圧の検出値を同時に所定の時間間隔で複数記憶することにより、下水管路の流水検出を行う方法であって、前記検出装置を下水管の底部または下水管路に設置されたマンホールもしくは枡の底部に設置することを特徴とする下水管路の流水検出方法。
【発明の詳細な説明】
【技術分野】
【０００１】
本発明は都市部などで敷設される家庭やビル、工場等の施設から排出する生活汚水などを下水処理場まで流下させる汚水用の下水管路や、道路などの雨水を集めて河川湖沼に流下させる雨水用の下水管路等において、下水管路内に通常流れる下水とは異なる異常水が浸入した場合、その異常水の浸入場所特定に利用するための下水管路における流水状態の検出装置および検出方法に関する。
【背景技術】
【０００２】
都市部に敷設される汚水用の下水管路や雨水用の下水管路は、一般的に道路に沿って敷設されるが、その上流側には比較的口径の小さい枝管が多く敷設され、それら枝管は管路下流側に敷設される口径の大きな本管に連通される。このような下水管路にはメンテナンス用として、開閉が可能な蓋を有する枡やマンホール等が多く設置される。枡は住宅や工場に近い場所に埋設される枝管の先端領域に多く設置され、マンホールは枝管の途中や本管の途中、または枝管同士の合流部や枝管と本管の合流部に設置される。
【０００３】
都市部では汚水用の下水管路と雨水用の下水管路が網目状に多数敷設され、それらは同じ道路に沿って並設されることが多い。そのため、例えば汚水用の下水管路の一部に雨水用の下水管路の一部が誤って接続される例、またはその逆に雨水用の下水管路の一部に汚水用の下水管路の一部が接続される例、などの接続ミスが各所で発生することがある。また何十年間の長期間に亘り埋設された下水管路では、老朽化や地震等により本管の継ぎ手部分や、枡と枝管を結ぶ取付管の接合部に損傷等の異常が発生し、地下水や雨水の流入事故が発生している。一般に下水管路は施工後に地中に埋設された状態になるので、これらのような異常発生個所は、外部からは容易に発見できないのが現状である。
【０００４】
このように誤接続や管路の損傷により汚水用の下水管路に浸入する雨水や地下水、または雨水用の下水管路に浸入する汚水や地下水は、本来流下する水とは別の異常水（もしくは不明水）として扱われ、これを解消させるには下水管路の補修や改修工事などの何らかの対策が必要になる。
【０００５】
特に汚水用の下水管路に流入する雨水や地下水は下水処理場で浄化処理すべきものではなく、その流入は処理費用の負担増となる。そして下水処理場の計画処理能力を超える下水の流入がある場合は未処理汚水の状態で河川湖沼に放流され、水質汚染問題の発生源となってしまう。また管路に損傷部があると、そこから汚水が管路外の地下地盤に漏出し、土壌や地下水の汚染問題を発生する原因となりこの問題解決は重要となる。
【０００６】
これらの問題の発生源となる下水管路における誤接続や損傷の場所の特定は、従来から種々試みられている。
【０００７】
特許文献１には異常水の浸入場所を特定する方法が開示されている。特許文献１の方法は、下水管路の複数個所に温度検出部を有する検出装置を設置し、所定の時間間隔で温度を複数記憶し、所定の検出期間（例えば１〜２カ月）の経過後に各検出装置を下水管路から回収し、記録された温度変化データを電磁波通信によりデータ処理装置に伝送する。そしてデータ処理装置は特定の下水管路ごとに予め記憶蓄積された平常状態の温度変化データと、伝送された温度変化データを比較し、両者の間に温度変化の相違が生じた場合、その下水管路の場所には異常水が浸入していると判定する方法である。なお汚水や雨水の平常温度は季節ごとに異なるが、地下水の場合はあまり大きな変化はない。それらの平常温度は季節や時間ごとに予めデータ処理装置に記憶される。
【０００８】
一方、下水管路の異常水浸入場所の特定方法として、下水管路における下水流の流量変化を水位変化で捉え、平常な水位変化から離脱した異常な水位変化の状態を検出し、その検出データを基にデータ処理装置で異常水浸入場所を特定する方法も知られている。すなわち下水管路における平常な水位変化（流量変化）、例えば特定の管路における通常予想される一日の水位変化と、水位検出装置で検出した水位変化をデータ処理装置で比較することにより、下水管路における異常水の浸入場所を特定する方法である。
【先行技術文献】
【特許文献】
【０００９】
【特許文献１】特許第４７５６０９２号公報
【発明の概要】
【発明が解決しようとする課題】
【００１０】
下水管路における異常水の浸入場所を特定する際、特定の下水管路において検出した温度変化データと予め記憶蓄積した温度変化データを比較する方法は、各種の下水管路においてかなり高い精度で異常水の浸入場所を特定することが可能である。しかし下水管路によっては、日や時間の経過とともに、各所から合流する各汚水等の混合温度が、予め予測した平常な温度と異なるような変化を生じることもある。また本来の下水温度と異常水の温度に大きな相違が無い場合もあり、そのような下水管路では、異常水の浸入場所特定の精度は低下する可能性がある。
【００１１】
一方、下水管路内の水位変化のみで異常水の浸入場所を特定する方法においては、汚水等の平常な流量変化が予測した範囲と一致しない場合がある。例えば各所から合流する汚水等自体に予測しなかった異常な変化が生じることはしばしば起こる。そのような下水管路では、異常水の浸入場所特定の精度は低下する可能性がある。
【００１２】
さらに、一般的な水位計は比較的高価である上に、かなり大きな設置スペースを必要とし、口径の小さい下水管路に設置することは容易ではない。またミリ単位の高精度の水位を検出する水位計の構造はより複雑化するので、その設置スペースやコストなどの問題がより大きくなる。
【課題を解決するための手段】
【００１３】
これら種々の問題を解決するため、本発明は下水管路を流れる流水の温度変化と水圧変化の両者を検出して記憶し得るようにした流水検出装置、およびそれを用いた流水検出方法を提供するものである。
【００１４】
本発明の流水検出装置を下水管路に設置すると、前記のように予測できない外乱要素が発生する可能性のある下水管路であっても、温度と水圧を同時に記録した２つの検出データにより、例え温度と水圧の一方の検出データに異常な現象が発生したとしても、他方の検出データが平常な値であれば、その異常な現象は外乱要素であり異常水の浸入ではないと判定することは容易であり、異常水浸入場所特定のミスは大幅に低減する。
【００１５】
例えば汚水用の下水管路にはトイレや浴室などからの生活汚水が排出され、一般的にその下水温度は雨水や地下水より高いとされており、異常水の流入がある下水管路では、降雨時に雨水が流入することで下水の温度が下がり、また流量が増加することで、水位が上がることになる。現在、気象庁や多くの自治体では地域毎に降雨があった日時と降水量についてのデータを公表しており、例えばその降雨時の前後に上記の方法で測定した下管路内の下水の温度と水圧に変化が生じていれば、その下水管路には雨水が異常水として流入していると判定することが可能となる。
【００１６】
以上の背景から、本発明の第１の発明は、下水管路の底部に設置して下水管路の流水を検出する装置であって、温度検出部、水圧検出部、制御部、温度及び水圧の検出値を同時に所定の時間間隔で複数記憶する記憶部、送受信部および水密性の検出ボックスを備え、前記検出ボックスの内部に前記温度検出部、前記水圧検出部、前記制御部、送受信部および記憶部が設けられ、前記検出ボックスは、それを下水管路に設置した状態における底面、上面および側面を有し、流水が分流する左右の両側面は円弧状に形成されている。
【００１７】
前記検出ボックスを下水管路の底部に設置した際、流水の下流側に位置する前記検出ボックスの側面に前記水圧検出部の検出面が設けられ、その検出面で該検出ボックス下流側の水圧変化を検出することにより、下水管路における流水の水位変化に換算できるようになっており、検出ボックス設置位置における流水の温度と水圧を所定の時間間隔で同時に検出して検出データを記憶部に記憶できるように構成されていることを特徴とする（請求項１）。
【００１８】
本発明の第２の発明は、上記第１の発明の検出装置を用い、下水管路を流れる流水の温度と水圧を同時に所定の時間間隔で複数検出することにより、下水管路の流水状態を検出する方法であって、前記検出装置を下水管の底部または下水管路に設置されたマンホールもしくは枡の底部に設置することを特徴とする（請求項２）。
【発明の効果】
【００１９】
本発明の第１の発明は、温度検出部、水圧検出部、制御部、送受信部、記憶部および水密性の検出ボックスを備え、検出ボックスの内部に温度検出部、水圧検出部、送受信部、制御部および記憶部が設けられ、検出ボックスにおける下水管路の下流側となる下流側外面に水圧検出部の検出面が設けられ、その検出面で検出ボックス下流側の水圧変化を検出することにより流水の水位変化に換算できるように構成されていることを特徴とする。
【００２０】
検出される水圧（静水圧）の値は水位にそのまま換算できる。このように水圧を小型化できる水圧検出部により検出し、且つ一つの検出ボックス内に温度検出部と水圧検出部の両者を設けることにより、これらの検出部を独立したボックスに構成する場合と比較して検出装置は外形が極めて小型化され、下水管路における狭い設置スペースの場所であっても、流水検出装置を容易に設置できる。
【００２１】
また、下水管路の同じ設置場所で温度と水圧（水位に相当）を検出して記録できるので、流水における同一時期の温度変化と水圧変化の相互関係を精度よく検出し、所定の検出期間経過後に、検出したデータをデータ処理装置などで処理することが可能である。それによって、予測できない温度変化または水圧変化のような外乱要素が発生する下水管路においても、これら両者の検出データを利用することにより、異常水浸入の有無を高精度で識別し判定することが可能になる。特に雨水による異常水の浸入の場合は、その地区周辺に実際に発生した降雨が大きく関係するので、その降雨に関係するデータ等の利用でより精度高く判定することができる。
【００２２】
さらに、検出ボックスを下水管路内に設置した際に、流水の下流側に位置する検出ボックスの下流側の側面に水圧検出部の水圧検出面が設けられるので、水圧検出の際に流水の動水圧や乱流の影響が著しく低減され、流水の静水圧値のみを高精度で検出でき、それによって水圧から換算される水位データが高精度の値で得られる。
【００２３】
また、検出ボックスが、それを下水管路に設置した状態における底面、上面および側面を有しており、流水が分流する左右の両側面は円弧状に形成され、下流側の側面に水圧検出部の水圧検出面が設けられている。
【００２４】
検出ボックスをこのような形状にすると、円弧状の両側面における流水がスムーズに下流側に流れるので、その部分の局部的な乱流発生が抑制され、測定データが安定する。
【００２５】
本発明の第２の発明は、上記いずれかの発明の検出装置を用い、下水管路を流れる流水の温度と水圧を同時に所定の時間間隔で複数記録することにより、下水管路の流水検出を行う方法であって、前記検出装置を下水管の底部または下水管路に設置されたマンホールもしくは枡の底部に設置することを特徴とする。
【００２６】
本方法によれば、予測できない温度変化または水位変化のような外乱要素が発生する下水管路においても、これら温度および水圧（水位）の両者の検出データを利用することにより、異常水浸入の有無だけを高精度で識別し判定することが可能になる。
【図面の簡単な説明】
【００２７】
【図１】本発明の流水検出装置を設置した下水管路の１例を示す系統図である。
【図２】図１の下水管路に設置した本発明の流水検出装置の１例を模式的に示す側面図および平面図である。
【図３】本発明の流水検出装置を設置部材により下水管路に設置した状態を示す平面図および側面図である。
【図４】本発明の流水検出装置の系統図である。
【発明を実施するための形態】
【００２８】
次に図面により本発明の最良の形態を説明する。図１は本発明の流水検出装置（以下単に「検出装置」という）を設置した下水管路の１例を示す系統図である。下水管路１は本管２と枝管３を備え、流水は矢印のように枝管３と本管２の上流側から下流側に向かって流れる。本管２または枝管３の適宜の場所、または本管２と枝管３の合流個所には、メンテナンス用のマンホール４が設置される。
【００２９】
口径の大きい枝管３の一部には図示のように、より口径の小さい枝管３が合流する場合が多く、それら口径の小さい枝管３の上流側には、図示しない枡等が適宜設置されることが多い。本管２または枝管３、あるいはマンホール４の底面には本発明の検出装置５が設置される。
【００３０】
汚水用の下水管路の場合、例えば図１の右側の枝管３のＡ部分に雨水用の下水管路が誤接続された場合、その異常水の浸入場所の特定は、Ａ部分を含む枝管３に沿った複数個所、およびそれより下流側の本管２への合流点付近における降雨データによる降雨時前後の汚水の温度変化および水圧（水位）変化の検出データの解析により行うことが好ましいが、最小限Ａ部分を挟む前後の枝管３における２個所の温度変化および水圧（水位）変化の検出データを解析することにより行う。
【００３１】
一方、図１の左側の枝管３のＢ部分が損傷して外部から地下水が浸入した場合、その異常水の浸入場所の特定は、最小限Ｂ部分を挟む枝管３の２個所の検出装置５の温度および水圧（水位）変化の検出データを解析することにより行われる。なおデータ解析は後述するデータ処理装置２０で行われる。この地下水の浸入がある下水管路の流水の温度は異常水の浸入がない生活汚水だけの下水管路の温度より低くなる傾向があり、これらにより異常水の特定が可能になる。
【００３２】
一方、雨水用の下水管路の場合も同様で、例えば図１の右側の枝管３のＡ部分に汚水用の下水管路が誤接続された場合、あるいは図１の左側の枝管３のＢ部分が損傷して外部から地下水が浸入した場合は、正常な下水管路では雨水用であるので晴天時には下水管路内への雨水の浸入はないが、浸入がある下水管路では地下水や汚水の流入により検出データに変化が生じる。また降雨があった場合でも検出データに変化が生じる。これらにより異常水の浸入場所の特定が可能になる。
【００３３】
図２（ａ）は図１の下水管路１の底面１ａ上に設置した本発明の検出装置５の側面図で、図２（ｂ）はその平面図である。検出装置５は検出ボックス６を有し、検出ボックス６は平断面が円形の形状とされ、平坦な上面６ａと底面６ｂを有し、上流側からの流水の動水圧が加わる上流側の側面６ｄ、上流側からの流水が分流して接する左右の両側面６ｃは、共に円弧状に形成されている。検出ボックス６の下流側の側面６ｄには水圧検出部８の水圧検出面８ａが設けられる。
【００３４】
なお上流側の側面６ｄは円弧状以外に、台形状であってもよく、場合によっては流水方向に直角な平坦面であってもよい。そのような平坦面により乱流が多少発生したとしても、その乱流は下流側の左右の両側面６ｃにより軽減される。
【００３５】
検出ボックス６は通常、硬質の樹脂材で水密性に形成されるが、場合によっては両側面６ｃは耐食性を有するステンレス等の金属材で形成することもできる。本発明の検出装置５は極めて小さく形成できる。実際に製造した例では、検出ボックス６の大きさは直径２７ｍｍφ、高さ１２ｍｍ程度である。従って検出ボックス６の底面６ｂを平坦な面に形成しても、口径の著しく異なる下水管の円弧状の底面はそれに適合するほぼ平坦な面とみなせるので、該底面に安定して設置することができる。
【００３６】
検出ボックス６の内部には温度検出部７、水圧検出部８、制御部１１およびその他の部材が固定した状態で収容される。温度検出部７の温度検出面７ａは検出ボックス６の上面６ａの内面に配置され、水圧検出部８の本体は検出ボックス６の内部に配置され、その本体から延長する水圧検出面８ａの部分が、前記側面６ｄから検出ボックス６の外部に露出して流水と接するようになっている。このように水圧検出面８ａを露出させることによって高い精度で水圧を測定することが可能である。なお検出ボックス６は金属製または樹脂製とすることができる。
【００３７】
検出ボックス６の外側を流れる流水は、図２（ａ）（ｂ）に矢印で示すように、検出ボックス６の上面６ａおよび両側面６ｃに沿って流下するが、上面６ａ側は該面に沿って実質的に平行に流下し、両側面６ｃ側は上流側から分流してスムーズな流れで該側面６ｃに沿って流下する。そのため検出ボックス６付近における局部的な乱流発生は極力抑制され、水圧検出面８ａには上流側からの動水圧や乱流などの影響も実質的に受けず、水位に対応する静水圧のみ正確に印加される。
【００３８】
図３は本発明の検出装置５を設置部材１０により下水管路１に設置した例を示す模式的な図である。なお図２と同じ部分には同一符号を付し、重複する説明は省略する。設置部材１０は平坦な底板１０ａと、底板１０ａから垂直上方に延長する側板１０ｂを有する。図３（ａ）示すにように、側板１０ｂは流水の上流側に位置する部分が検出ボックス６の上流側の側面に合わせて円弧状に形成され、その円弧部の両端部から下流側にそれぞれ直線状に平坦な側板１０ｂが互いに平行して延長され、その直線状の側板１０ｂの両先端部はそれぞれ内側に小さい角度（例えば３０〜４０度程度の角度θ）で折り曲げられている。なお折り曲げられた側板１０ｂの両先端部の間は充分に開口され、側板１０ｂの高さより低い水位の場合でも、水圧検出面８ａが流水に接するようになっている。このように直線状の側板１０ｂの両先端部をそれぞれ内側に小さい角度で折り曲げることにより、側板１０ｂの外側に沿って流下する流水による下流側の乱流発生を抑制している。これは図２における検出ボックス６の円弧状の両側面６ｃと同様な作用効果である。
【００３９】
設置部材１０は金属材または樹脂材で形成され、その底板１０ａの一部には必要に応じて下水管路１の底部１ａに固定するためのボルト孔やロープ等への係合部などを設けることもできる。
【００４０】
図３に示すような設置部材１０を用いると、流水は設置部材１０の側板１０ｂの外面に沿ってスムーズに流下するので、水圧検出面８ａにはより安定した静水圧が印加される。
【００４１】
図４は本発明の検出装置５の系統図である。検出装置５は温度検出部７、水圧検出部８、制御部１１、記憶部１２および送受信部１３を備えている。制御部１１はＣＰＵ等により構成され、アナログデジタル変換部１４を経由して温度検出部７、水圧検出部８および送受信部１３に接続される。記憶部１２は温度及び水圧の検出データを同時に所定の時間間隔で複数記憶するもので、例えば５１２Ｋｂｉｔの容量を有して測定点数１２０００程度記憶できるようになっている。記憶部１２で温度及び水圧の検出データを同時に所定の時間間隔で複数記憶するため時計部１５が設けられ、例えば測定間隔が１分〜２５６分間隔に設定された記憶信号を制御部１１に送り、制御部１１からその信号を記憶部１２に送る。
【００４２】
電源部１６は制御部１１及びその他の部分に電源を供給するもので、例えばリチウム電池が使用される。送受信部１３はアンテナ部１３ａを有し、アンテナ部１３ａを通して外部のデータ処理装置２０と電磁波通信を行う。なお電源部１６を除くこれらの部分は、例えば同一の集積基板上に形成することができ、その基板の周囲が樹脂で密封された状態で検出ボック６の内部に固定される。
【００４３】
データ処理装置２０はコンピュータシステムにより構成され、前記送受信部１３と電磁波通信するためのアンテナと送受信部を備えている。多数の検出装置５を下水管路１に設置する際に、予めデータ処理装置２０から各検出装置５に測定間隔等の情報を電磁波通信により伝送して入力しておき、データ取得時には各検出装置５に記憶されたデータを電磁波通信によりデータ処理装置２０に伝送してそのデータ処理装置２０内部の記憶部に記憶する。そして降雨があった日時の降雨前、降雨中、降雨後での温度、水圧（水位）の蓄積データを比較することで、異常水個所を検出することができる。なお記録データとの関連性をデータ処理装置２０に予め各下水管路の季節や時間ごとの温度、水位等のデータがその記憶部に蓄積しておくことで、異常個所を特定することができる。従ってその蓄積データと各検出部５から受けた温度および水圧（水位）の検出データを比較し、比較した結果データを出力部に出力することが可能となる。
【産業上の利用可能性】
【００４４】
本発明の下水管路における流水状態の検出装置は、下水管路に本来の流水と異なる流水（異常水）が浸入場所を特定するために利用できる。
【符号の説明】
【００４５】
１                下水管路
１ａ              底面
２                本管
３                枝管
４                マンホール
５                検出装置
６                検出ボックス
６ａ              上面
６ｂ              底面
６ｃ、６ｄ        側面
７                温度検出部
７ａ              温度検出面
８                水圧検出部
８ａ              水圧検出面
１０              設置部材
１０ａ            底板
１０ｂ            側板
１１              制御部
１２              記憶部
１３              送受信部
１３ａ            アンテナ部
１４              アナログデジタル変換部
１５              時計部
１６              電源部
２０              データ処理装置
【要約】
【課題】下水管路における異常水の浸入場所を特定する際の精度を向上させる。
【解決手段】下水管路１の流水を検出する装置であって、温度検出部７、水圧検出部８、制御部１１、温度及び水圧の検出値を同時に所定の時間間隔で複数記憶する記憶部１２、送受信部１３および水密性の検出ボックス６を備え、検出ボックスの内部に温度検出部、水圧検出部、制御部、送受信部および記憶部が設けられ、検出ボックス６を下水管路１に設置した際、該検出ボックス６の下流側の側面６ｄに水圧検出部８の検出面８ａが設けられ、その検出面８ａで下流側の水圧変化を検出することにより流水の水位変化を検出できるように構成されている。
【選択図】    図１【図１】
0005842071.tif 000002
【図２】
0005842071.tif 000003
【図３】
0005842071.tif 000004
【図４】
0005842071.tif 000005